(57)【要約】【課題】  スクリーンに付着の異物も外套部材に吸着の鉄粉も効率よく洗浄できるようにする。【解決手段】  スクリーン配置部２Ｃに流出口２Ｂから逆流入した洗浄流体を排出する排出口２Ｈを形成し、スクリーン３の端部にスクリーン３内から洗浄流体の一部を排出する連通口３ｄを形成し、この連通口３ｄに前記洗浄流体の逆流入時に開放される洗浄弁１１を設ける。【選択図】図１
2007229665.tif 000002
【特許請求の範囲】
【請求項１】
流入口からスクリーン配置部を通って流出口へ流体を流動可能な流路を形成したストレーナ本体と、前記スクリーン配置部に着脱自在に取り付けられるスクリーンと、このスクリーン内に配置された非磁性材製の外套部材と、この外套部材内に挿脱可能に挿入されていて流体に磁力線を通す棒状のマグネットとを備えたストレーナ装置において、
前記スクリーン配置部に流出口から逆流入した洗浄流体を排出する排出口を形成し、前記スクリーンの端部にスクリーン内から洗浄流体の一部を排出する連通口を形成し、この連通口に前記洗浄流体の逆流入時に開放される洗浄弁を設けていることを特徴とするストレーナ装置。
【請求項２】
前記マグネットの先端と洗浄弁とは対向しており、この洗浄弁とマグネットとの間に、マグネットをスクリーン配置部内へ挿入することにより洗浄弁を連通口開放可能状態から閉鎖状態にする洗浄弁開閉手段を設けていることを特徴とする請求項１に記載のストレーナ装置。
【請求項３】
前記洗浄弁を連通口に摺動可能にかつ抜け止めされた状態に挿入しており、前記洗浄弁開閉手段はマグネットの先端とこれに対面する前記洗浄弁の端部とを反対極に磁化して、洗浄弁を閉鎖方向に吸引していることを特徴とする請求項２に記載のストレーナ装置。
【請求項４】
前記ストレーナ本体内に、流入口から流入する流体をスクリーンの外周に案内し、かつスクリーン内から流出する流体を流出口へ案内する流路仕切り部を形成していることを特徴とする請求項１〜３のいずれか１項に記載のストレーナ装置。
【請求項５】
前記スクリーン配置部はストレーナ本体の流入口と流出口とを結ぶ線に対して直角に突出しており、ストレーナ本体にはスクリーン配置部と反対側に外方からスクリーン配置部内へ外套部材を挿入しかつ取付ける取付け部を形成しており、前記マグネットは外套部材及び取付け部に対して外方から挿脱自在に挿入していることを特徴とする請求項４に記載のストレーナ装置。
【発明の詳細な説明】
【技術分野】
【０００１】
本発明は、水の磁化、鉄粉の除去等を可能にする液体流通用のストレーナ装置に関する。
【背景技術】
【０００２】
この種の従来技術においては、流体の流入口と流出口とスクリーン配置部とを有するストレーナ本体と、前記流入口と流出口の間に配置されて流体に含まれた異物を捕獲する筒形のスクリーンと、非磁性体からなり、基端部が前記ストレーナ本体に支持されて前記スクリーンの内方に挿入された外套部材と、この外套部材の内方に挿入されて、外套部材の先端側へ進出した位置と外套部材の基端部側へ後退した位置とに移動可能に設定されたマグネットと、前記外套部材の基端部の近傍に設けられた異物の排出通路と、この排出通路を開閉する洗浄弁とを備えて構成されている（例えば、特許文献１参照。）。
【特許文献１】特開平８−１１７５１７公報
【発明の開示】
【発明が解決しようとする課題】
【０００３】
前記従来技術においては、スクリーンに付着の異物及び外套部材に吸着の鉄粉を洗浄する場合、マグネットを排出通路近傍まで後退するが、洗浄液は通常の濾過作業時と同様に流入口から流出口へ順路方向に流すために、スクリーンの目詰まりは解消され難く、鉄粉の排出効果も低いものとなっている。
本発明は、このような従来技術の問題点を解決できるようにしたストレーナ装置を提供することを目的とする。
【０００４】
本発明は、スクリーン配置部に排出口を形成し、スクリーンに洗浄弁で開閉される連通口を形成しておいて、流出口からスクリーン内へ、そしてスクリーンの連通口を通って排出口へ洗浄流体を逆流入させることにより、スクリーンに付着の異物も外套部材に吸着の鉄粉も効率よく洗浄できるようにしたストレーナ装置を提供することを目的とする。
【課題を解決するための手段】
【０００５】
本発明における課題解決のための具体的手段は、次の通りである。
第１に、流入口からスクリーン配置部を通って流出口へ流体を流動可能な流路を形成したストレーナ本体と、前記スクリーン配置部に着脱自在に取り付けられるスクリーンと、このスクリーン内に配置された非磁性材製の外套部材と、この外套部材内に挿脱可能に挿入されていて流体に磁力線を通す棒状のマグネットとを備えたストレーナ装置において、
前記スクリーン配置部に流出口から逆流入した洗浄流体を排出する排出口を形成し、前記スクリーンの端部にスクリーン内から洗浄流体の一部を排出する連通口を形成し、この連通口に前記洗浄流体の逆流入時に開放される洗浄弁を設けていることである。
【０００６】
第２に、前記マグネットの先端と洗浄弁とは対向しており、この洗浄弁とマグネットとの間に、マグネットをスクリーン配置部内へ挿入することにより洗浄弁を連通口開放可能状態から閉鎖状態にする洗浄弁開閉手段を設けていることである。
第３に、前記洗浄弁を連通口に摺動可能にかつ抜け止めされた状態に挿入しており、前記洗浄弁開閉手段はマグネットの先端とこれに対面する前記洗浄弁の端部とを反対極に磁化して、洗浄弁を閉鎖方向に吸引していることである。
【０００７】
第４に、前記ストレーナ本体内に、流入口から流入する流体をスクリーンの外周に案内し、かつスクリーン内から流出する流体を流出口へ案内する流路仕切り部を形成していることである。
第５に、前記スクリーン配置部はストレーナ本体の流入口と流出口とを結ぶ線に対して直角に突出しており、ストレーナ本体にはスクリーン配置部と反対側に外方からスクリーン配置部内へ外套部材を挿入しかつ取付ける取付け部を形成しており、前記マグネットは外套部材及び取付け部に対して外方から挿脱自在に挿入していることである。
【０００８】
本発明は前述した構成によって、次のような作用を奏する。
外套部材内からマグネットを後退させて吸着力を解消した後に、流出口から洗浄流体を逆流入させると、洗浄流体によって外套部材に付着していた鉄粉は洗い流され、洗浄弁を開放してスクリーンの端部の連通口から排出され、また、濾過作業時と反対に流れる洗浄流体によって、スクリーンに付着していた異物（濾過物）も洗い流され、洗浄流体の全量がスクリーン配置部の排出口から排出される。
【０００９】
洗浄弁とマグネットとの間に設けられた洗浄弁開閉手段は、マグネットをスクリーン配置部内へ挿入することにより洗浄弁を連通口開放可能状態から閉鎖状態にし、マグネットの挿入だけで洗浄弁を閉鎖状態にすることができる。
洗浄弁開閉手段は、対面しているマグネットの先端と洗浄弁の端部とを反対極に磁化するだけで構成することができ、構造が簡単であり、かつ洗浄弁の閉鎖がマグネットの挿入だけでできる。
【００１０】
流路仕切り部によってストレーナ本体内を流動する正流と逆流とをスクリーン及び外套部材の表面に正常に行き渡らせることができる。
外套部材及びマグネットは、スクリーン配置部と反対側の外方からスクリーン配置部内に挿入しかつ取付けることができ、取付けが容易になり、マグネットを外套部材内から後退させるときの移動距離を大きくできる。
【発明の効果】
【００１１】
本発明によれば、外套部材内からマグネットを後退させて吸着力を解消した後に、流出口から洗浄流体を逆流入させると、洗浄流体によって外套部材に付着していた鉄粉を洗い流して、洗浄弁を開放してスクリーンの端部の連通口から排出することができ、また、洗浄流体によってスクリーンに付着していた異物も洗い流し、洗浄流体の全量をスクリーン配置部の排出口から排出することができる。
【発明を実施するための最良の形態】
【００１２】
以下、本発明の実施の形態を図面に基づいて説明する。
図１〜５において、ストレーナ装置１はＴ型でかつ逆流洗浄型であり、流入口２Ａ、流出口２Ｂ及びスクリーン配置部２Ｃを形成したストレーナ本体２と、前記スクリーン配置部２Ｃに取り付けられたスクリーン３と、このスクリーン３内に配置された非磁性材製の外套部材５と、この外套部材５内に挿脱可能に挿入されていて流体に磁力線を発生する棒状のマグネット４とを備えている。
【００１３】
前記スクリーン配置部２Ｃの先端部には、流出口２Ｂから逆流入する洗浄流体を排出するための排出口２Ｆが形成されている。
前記ストレーナ本体２は、流入口２Ａ及び流出口２Ｂに配管接続具及び固定具を介して配管を接続可能になっており、その内部には流入口２Ａからスクリーン配置部２Ｃを通って流出口２Ｂへ流体を流動可能な流路２Ｄが形成されている。
【００１４】
このストレーナ本体２は、図１、３に示すように、本体部分の両端に流入口２Ａと流出口２Ｂとが形成され、流入口２Ａと流出口２Ｂの間で１方向に突出した第１取付け部２Ｅと、それと反対方向に突出した第２取付け部２Ｆと、両取付け部２Ｅ、２Ｆの内側でかつ流入口２Ａと対面する流路仕切り部２Ｇとが形成されている。
前記第１取付け部２Ｅ、第２取付け部２Ｆ及び流路仕切り部２Ｇの曲率中心は同心に配置されている。
【００１５】
前記流路仕切り部２Ｇは流路２Ｄ内の流体の流れ方向をスクリーン配置部２Ｃ側へ変更するものであり、その外周側にはスクリーン配置部２Ｃ内と連通する側面視円弧形状の通路２Ｊが形成されている。即ち、流入口２Ａから流入してきた流体を流路仕切り部２Ｇでスクリーン３の外周側に案内し、スクリーン３内から流出する流体を流出口２Ｂに案内している。
【００１６】
前記スクリーン配置部２Ｃはストレーナ本体２の流入口２Ａと流出口２Ｂとを結ぶ線に対して直角に突出しており、ストレーナ本体２の本体部分に対して分割可能な構造になっており、前記第１取付け部２Ｆに筒体９の一端を連結具１４を介して着脱自在に取付け、この筒体９の他端にエンドキャップ１０を連結具１４を介して着脱自在に取付けている。このエンドキャップ１０には洗浄流体を排出する排出口２Ｆが筒体９と同心上に形成されている。
【００１７】
スクリーン３は格子を円筒状に形成したホルダ３Ａと、このホルダ３Ａの外周に嵌装されたエレメント３Ｂとを有しており、前記ホルダ３Ａには、第１取付け部２Ｆと筒体９とに挟持されることによりそれらに固定される位置決め部３ａと、前記流路仕切り部２Ｇに嵌入してスクリーン３の内外を仕切る一端部のシール部３ｂと、このシール部３ｂと反対側の端部の閉鎖部３ｃとが形成されている。
【００１８】
前記位置決め部３ａはホルダ３Ａの周囲に等間隔に突出した突起であり、周方向において位置決め部３ａ間は、図１左右方向に流体を通すことができる。
前記反対側の端部の閉鎖部３ｃは、排出口２Ｈとマグネット４の先端との中間に位置してそれらと対向する連通口３ｄが形成されている。この連通口３ｄはスクリーン３内から洗浄流体の一部を排出するためのものであり、摺動する洗浄弁１１によって開閉自在となっている。
【００１９】
図１、４、５に示すように、洗浄弁１１は筒状部材の内部にマグネット１１ａが設けられ、外周部の一端の当たり部１１ｂに環状パッキン１２が装着され、外周部の他端に周方向複数個の抜け止め具１３が設けられ、連通口３ｄ内に軸心方向摺動自在に挿入されている。
前記洗浄弁１１は、摺動して環状パッキン１２が閉鎖部３ｃに当接することにより連通口３ｄを閉鎖し、環状パッキン１２が閉鎖部３ｃから離隔して抜け止め具１３が閉鎖部３ｃに当接することにより連通口３ｄを開放できるようになっている。
【００２０】
前記第２取付け部２Ｆにはスピンドルケース１５のフランジ部１５ａが連結具１８を介して着脱自在に取付けられ、このスピンドルケース１５の他端にスピンドル１６を摺動自在に支持する支持キャップ１７が連結具１８を介して着脱自在に取付けられている。
前記外套部材５はスピンドルケース１５と合成樹脂により一体成形されている。外套部材５は薄肉で有底筒形状であり、マグネット４の外周面に対して嵌脱可能である。
【００２１】
この外套部材５を設けていることにより、マグネット４が流体中から吸着する鉄粉は外套部材５の外面に吸着され、外套部材５からマグネット４を抜くとその吸着力がなくなって、外套部材５の外面に吸着されていた鉄粉を簡単に除去できるようになる。
マグネット４は棒状の磁力線発生手段Ｇを構成するものであり、前記スピンドル１６の先端に着脱自在に取り付けられており、スピンドル１６をその基端を持って押し引き操作することにより、スクリーン配置部２Ｃ内のスクリーン３及び外套部材５に対して挿脱できる。
【００２２】
棒状のマグネット４は、複数個の短寸のマグネット４ａを鉄板等の磁性材４ｂを挟んで同極同士対向して固着して形成しており、前記磁性材４ｂはそれと対面する２個の短寸マグネット４ａと同一の極が励磁され、２個のマグネット４ａの磁力線が１枚の磁性材４ｂに集中発生する。磁性材４ｂが１枚の場合は前後のマグネット４ａの端部とで３極が形成され、磁性材４ｂが２枚の場合は４極が形成されることになり、軸心方向に複数組のＮ極とＳ極とが形成されている。
【００２３】
前記磁性材４ｂによる強力な磁力線は、マグネット４の径方向に発生し、スクリーン３の内外方向に指向することになり、スクリーン配置部２Ｃ内に入ってきて、スクリーン３とマグネット４との間及びスクリーン３の外側を流れる流体に対して、その流動方向に交叉する方向となり、棒状のマグネット４が２極しかない場合に比して、流体を横切る磁束密度が密になり、流体に対して磁力線が及ぼす影響、即ち、液体の磁化効率及び鉄粉の吸着効率を向上でき、鉄粉等の不純物を除去した磁化水を得るのに最適となる。
【００２４】
前記棒状のマグネット４の先端は、磁極が前記洗浄弁１１のマグネット１１ａと反対の極に励磁されており、マグネット４をスクリーン３内に挿入することにより、洗浄弁１１を吸引して連通口３ｄを閉鎖する。
従って、反対極に磁化されたマグネット４及びマグネット１１ａによって、洗浄弁１１を連通口開放可能状態から閉鎖状態にする洗浄弁開閉手段Ｈが構成されている。この洗浄弁開閉手段Ｈは、マグネット４を洗浄弁１１から後退させると、洗浄弁１１を連通口開放可能状態にし、洗浄弁１１の開放は逆流入される洗浄流体によって行なわれる。
【００２５】
前記ストレーナ本体２の第１取付け部２Ｅと第２取付け部２Ｆは、同心でありかつ突出方向が径外方向（逆）になっており、外套部材５はスクリーン配置部２Ｃと反対側の第２取付け部２Ｆの外方からスクリーン配置部２Ｃ内へ挿入し、スピンドルケース１５を第２取付け部２Ｆに取付け、前記マグネット１１はスクリーン３及び第２取付け部２Ｆに対して外方から挿脱自在に挿入している。
【００２６】
スピンドルケース１５内でのマグネット１１の後退移動は、鉄粉吸着範囲（長さ）と同程度又はより長く設定されており、後退させたときに外套部材５表面に吸着していた鉄粉に対してより完全に磁力を消失できるようにしている。
図１に２点鎖線で示すように、クリーン取付部２Ｃの外周に環状の磁性体１９を嵌合することができる。この環状磁性体１９に軸心方向に複数組のＮ極とＳ極とを形成したマグネットテープを用いて、棒状のマグネット４のＮ極とＳ極とに対向して配置すると、両マグネット４、１９によって磁力線が倍増されるだけでなく、流体を横切る磁束密度をより確実に高めることができる。
【００２７】
また、環状磁性体１９はマグネットの代わりに鉄板等の磁性材を筒形状に形成したものでもよい。この場合も、マグネット４の磁力線は磁性材との間に通り易くなり、マグネット４の径方向の磁力線がより強力に発生し、磁化効率及び吸着効率をより向上できる。
前記構成のストレーナ装着１によれば、スクリーン配置部２Ｃ内のスクリーン３内にスピンドル１６を介してマグネット４を挿入配置すると、マグネット４によって洗浄弁１１は連通口３ｄを閉鎖し、流入口２Ａからストレーナ本体２内に入った正流の流体は、流路仕切り部２Ｇに案内されてスクリーン３の外側から内側に入り、スクリーン３とマグネット４の外側の外套部材５との間を通りって流出口２Ｂへ至る。
【００２８】
流体はスクリーン配置部２Ｃ内に入って出ていくまでの間、外套部材５（マグネット４）の表面に沿って流れるとき、マグネット４が発生する磁力線を横切ることになり、磁化されると共に、その内部の鉄粉が外套部材５の表面に磁着され、その他の異物がスクリーン３で濾過されてその外内周面側に残る。
外套部材５の表面に磁着された鉄粉の量が多くなると、また、スクリーン３に溜まる異物の量が多くなると、マグネット４を外套部材５及びスクリーン配置部２Ｃから抜き出し、マグネット４が抜かれたことによって外套部材５の表面の磁着力は消滅し、表面の鉄粉を除去容易状態になる。また、磁着力の消滅は洗浄弁１１に対する吸着力も消滅し、洗浄弁１１は閉鎖力がなくなって開放可能状態になる。
【００２９】
その状態で、流出口２Ｂ側から流体を逆流させると、その逆流流体はスクリーン３と外套部材５との間に流れ込み、一部は外套部材５の表面の鉄粉を洗い流して、洗浄弁１１を押動して連通口３ｄを開放しかつこの連通口３ｄから抜け出し、残余はスクリーン３を貫通して外周に至り、スクリーン３外周面に溜まった異物を洗い流し、そして全量が鉄粉及び異物とともに排出口２Ｈから排出される。
【００３０】
なお、本発明は前記実施形態における各部材の形状及びそれぞれの前後・左右・上下の位置関係は、図１〜５に示すように構成することが最良である。しかし、前記実施形態に限定されるものではなく、部材、構成を種々変形したり、組み合わせを変更したりすることもできる。
例えば、スクリーン配置部２Ｃをストレーナ本体２の流入口２Ａと流出口２Ｂとを結ぶ線に対して交叉するＹ型に構成してもよく、外套部材５をスピンドルケース１５と別体に形成して、第２取付け部２Ｆに着脱自在に取り付けたり、スピンドルケース１５及びスピンドルを割愛して、マグネット４を第２取付け部２Ｆに着脱自在に取り付けたり、筒体９を第１取付け部２Ｅと一体成形し、スクリーン３のフランジ部３ａを筒体９とエンドキャップ１０とで挟持するようにしたりしてもよい。
【図面の簡単な説明】
【００３１】
【図１】本発明の実施形態を示す断面正面図である。
【図２】スクリーン及びマグネットを分解した断面正面図である。
【図３】ストレーナ本体の本体部分の一部断面側面図である。
【図４】洗浄弁の断面正面図である。
【図５】洗浄弁の側面図である。
【符号の説明】
【００３２】
１        ストレーナ装置
２        ストレーナ本体
２Ａ      流入口
２Ｂ      流出口
２Ｃ      スクリーン配置部
２Ｄ      流路
２Ｅ      第１取付け部
２Ｆ      第２取付け部
２Ｇ      流路仕切り部
２Ｈ      排出口
３        スクリーン
３ｄ      連通口
４        マグネット
４ｂ      磁性材
１１      洗浄弁
１１ａ    マグネット
１９      環状磁性体
Ｇ        磁力線発生手段
Ｈ        洗浄弁開閉手段
【図１】
2007229665.tif 000003
【図２】
2007229665.tif 000004
【図３】
2007229665.tif 000005
【図４】
2007229665.tif 000006
【図５】
2007229665.tif 000007